(57)【特許請求の範囲】
【請求項１】
ゴミ発電プラント等の高温腐食性ガスによる腐食を受ける部材を構成する金属製基材の表面に形成した溶射皮膜上に、硫酸塩を主成分とする溶液及び又はスラリーを塗布若しくはスプレーして、溶射皮膜上及び溶射皮膜内部に硫酸塩を含浸させる封孔処理を行うことを特徴とする耐高温腐食性と耐摩耗性に優れる複合溶射被覆部材の製造方法。
【請求項２】
ゴミ発電プラント等の高温腐食性ガスによる腐食を受ける部材を構成する金属製基材の表面に形成した溶射皮膜を、硫酸塩を主成分とする溶液及び又はスラリーに浸漬若しくは真空浸漬をして、溶射皮膜上及び溶射皮膜内部に硫酸塩を含浸させる封孔処理を行うことを特徴とする耐高温腐食性と耐摩耗性に優れる複合溶射被覆部材の製造方法。
【請求項３】
封孔処理をした後、その溶射被覆部材に加熱処理を施すことを特徴とする請求項１又は２に記載の耐高温腐食性と耐摩耗性に優れる複合溶射被覆部材の製造方法。
【発明の詳細な説明】
【０００１】
【発明の属する技術分野】
本発明は、耐高温腐食性及び耐摩耗性に優れた溶射被覆部材の製造方法に関するものである。
【０００２】
【従来の技術】
ごみ発電プラントでは、発電効率の向上を目的として高温高圧化が進められているが、これに伴いボイラ部材の高温腐食環境が過酷化するため、ボイラチューブや部材などの腐食劣化が問題となっている。
このごみの中には、木材，紙，プラスチック等の可燃物の他、さまざまな物質が不均一に混在しており、そのためごみ燃焼炉燃焼ガスは一般の化石燃料（重油，石炭等）に比べてＨＣｌ等の腐食性ガス成分及び燃焼飛灰（ダスト）を多く含んでいる。この堆積するダストの中には金属酸化物、高濃度のアルカリ（Ｎａ，Ｋ等），アルカリ土類（Ｃａ等），重金属（Ｐｂ，Ｚｎ等）の塩化物，硫酸塩が含まれている。これら混合塩の共晶反応により、灰の融点が下がるため、融点以上で使用される高温部材の腐食速度は大きく増加する。その中でも金属塩化物の融点は硫酸塩の融点より低いものが多く存在する。表１に金属塩化物の融点と硫酸塩の融点を示す。
【０００３】
【表１】
0003966611.tif 000002
【０００４】
金属塩化物は、ごみの燃焼環境中では融点が低いため、常に溶融状態で存在し腐食反応性が強く、焼却プラントを構成する金属材料を激しく腐食させる。また、金属塩化物は蒸気圧が高く、容易に昇華するため保護皮膜が生成されないことも要因である。これに対して、硫酸塩は同種の金属でも金属塩化物から硫酸塩に変化すれば融点が高くなり、焼却プラントを構成する金属材料に付着したとしても固相状態であるため、腐食反応は極めて遅く腐食速度は無視できる程度になる。
このことから、ごみ燃焼雰囲気中のボイラチューブ及び部材の腐食は、雰囲気中に含まれるＨＣｌ，Ｃｌ２等による高温腐食及び付着灰中に含まれる低融点塩化物の溶融塩腐食の要因が大きく、特にハロゲンガスの金属塩化物の高温腐食が最も激しいことが分かる。
【０００５】
【発明が解決しようとする課題】
上述の如く、従来のごみ発電プラントでは、主として高温腐食のため蒸気温度の高温高圧化を望めないのが現状である。
本発明は、従来のごみ発電プラントにおける上記の問題点を解決し、予め基材に溶射した溶射皮膜に腐食反応を抑制する硫酸塩を含浸させておいてハロゲンガスや金属塩化物による溶融塩腐食に対して耐食性と耐摩耗性を向上させる方法を提供することを目的とするものである。
【０００６】
【課題を解決するための手段】
上記目的を達成するために、本発明では、金属製基材の表面に形成した溶射皮膜に硫酸塩を主成分とする溶液又はスラリーを用いて封孔処理をする方法、及びその封孔処理をした後に加熱処理をする方法を採用し、耐高温腐食性及び耐摩耗性に優れた溶射被覆部材を製造するものである。
【０００７】
本発明の封孔処理に用いる硫酸塩の溶液及びスラリーは、Ｎａ2ＳＯ4，Ｋ2ＳＯ4，ＺｎＳＯ4，Ａｌ2（ＳＯ4）3，ＭｇＳＯ4，ＣａＳＯ4，ＢａＳＯ4，ＮｉＳＯ4，Ｃｒ2（ＳＯ4）3，ＣｏＳＯ4，ＰｂＳＯ4，ＳｎＳＯ4などを主成分とする少なくとも１種類以上を組み合わせたものである。本発明による封孔方法は、ハケやローラによる塗布でもよく、または浸漬や真空浸漬でもよい。
【０００８】
本発明で使用する溶射は、プラズマ溶射，高速フレーム溶射，アーク溶射，ガス溶射等の方法が適用される。また、溶射材料は、セラミック，金属及びその合金，サーメット等を用いる。その溶射材料の形態は、粉末，ワイヤー等である。上記溶射方法により種々のポーラスな皮膜を作成することが出来る。
例えば、アーク溶射方法では、溶融したワイヤーを材料表面上に吹き付けるための空気量を変化させたり、プラズマ溶射方法では、材料表面と溶射ガンとの距離を変化させることで各々気孔率の異なるポーラスな溶射皮膜を形成することが出来る。
【０００９】
本発明は、このポーラスな溶射皮膜を利用してその皮膜上及び皮膜内に硫酸塩の溶液及び又はスラリーを含浸する封孔処理を施す、またその封孔処理後に加熱処理を施すことで耐高温腐食性や耐高温耐摩耗性等の耐久性を向上させることが出来る。この溶射皮膜の積層仕様は１層でも２層以上でもよい。
加熱処理は、大気中，不活性ガス中または真空中で処理するものとする。この加熱処理を行うことで、溶射皮膜と硫酸塩による封孔処理の密着力と緻密性を高めることが出来る。また、この加熱処理は溶射皮膜自体を緻密にすることが出来、耐摩耗性の向上も付加出来る。
【００１０】
【発明の実施の形態】
図１に硫酸塩で封孔処理をした溶射皮膜の断面を示す。図中１は溶射皮膜、２は硫酸塩、３は基材を示す。
硫酸塩の封孔処理効果を確認するために溶射皮膜の高温腐食を行った。表２に試験条件、表３に高温腐食試験条件を示す。試験ピースは下層にハステロイＣ、上層にアルミナ／５０Ｎｉ５０Ｃｒ（ブレンド品）でプラズマ溶射したものを作成した。溶射は試験ピース全面に行った。封孔方法は浸漬法（１時間）で行った。
加熱処理については、封孔剤（ＭｇＳＯ４，ＣｕＳＯ４）で封孔処理した後、６００℃，１時間で行った。腐食試験はるつぼ試験法により、試験ピースを腐食灰の中に埋め込み、表３に示す腐食条件で電気炉内で処理を行った。評価方法は腐食試験前後の重量差、腐食試験後の試験ピースの外観観察及び断面分析（ＳＥＭ，ＥＰＭＡ）で行った。この試験ではＳＵＳ３０４の基材を比較材とした。
【００１１】
【表２】
0003966611.tif 000003
【００１２】
【表３】
0003966611.tif 000004
【００１３】
表４に高温腐食試験結果を示す。その結果、アルミナ／５０Ｎｉ５０Ｃｒ溶射皮膜をＭｇＳＯ４で封孔処理したものは、何も封孔処理をしていないアルミナ／５０Ｎｉ５０Ｃｒ溶射皮膜よりも腐食が抑制されているのが認められた。これにより、溶射皮膜の硫酸塩による封孔処理は、腐食抑制の効果があることが確認出来た。
【００１４】
【表４】
0003966611.tif 000005
【００１５】
【発明の効果】
以上述べてきたように本発明方法によれば、高温腐食環境の激しいごみ発電プラントなどの発電効率の向上（高温高圧化）や機器寿命の延伸に対して優れた耐高温腐食性と耐摩耗性の耐久力を発揮することが出来るという効果を奏する。
【図面の簡単な説明】
【図１】硫酸塩で封孔処理した溶射皮膜の断面説明図である。
【符号の説明】
１  溶射皮膜
２  硫酸塩
３  基材
【図１】
0003966611.tif 000006